(57)【要約】【課題】基板の板厚違いやガタ付きや使いまわしに対応することが可能な同軸コネクタを提供する。【解決手段】同軸コネクタ１１は、コネクタ本体１３と、このコネクタ本体１３のコンタクト突出面１４から突出するコンタクト１５とを有している。コネクタ本体１３は、金属筐体１６と、絶縁体１７と、芯線１８とを有している。コネクタ本体１３は、基板固定部１９を有している。基板固定部１９は、コネクタ本体１３におけるコンタクト突出面１４から突出するバネ部２２と、このバネ部２２に対向する一対の受け部２３と、バネ部２２及び一対の受け部２３の間に形成される基板差込空間２４とを有して構成されている。基板固定部１９は、コンタクト１５の位置に合わせて設けられている。【選択図】図１
2007141606.tif 000002
【特許請求の範囲】
【請求項１】
基板を差し込み固定するための基板差込空間を有する基板固定部をコネクタ本体に設けてなる同軸コネクタにおいて、
基板挟み込み方向に力が作用するバネ部を前記基板固定部の一構成として有する
ことを特徴とする同軸コネクタ。
【発明の詳細な説明】
【技術分野】
【０００１】
本発明は、基板固定部の基板差込空間に基板を差し込んで固定を行う同軸コネクタに関する。
【背景技術】
【０００２】
下記特許文献１には次のような技術が開示されている。図３において、同軸コネクタ１は、機器ケース２を挟み込んで固定を行うためのナット３及びフランジ４を有している。ナット３は、コネクタ本体５の雄ねじ部６に螺合するようになっている。フランジ４は、コネクタ本体５の端部に形成されている。機器ケース２の内部側となるフランジ４には、基板７の表裏面に存在するグランド（図示省略）に対して接触するグランド接触部位８が設けられている。
【０００３】
グランド接触部位８は、一対の突出片８ａ、８ａからなっており、所定の間隔があくように配置されている。グランド接触部位８には、基板７の端部が差し込まれるようになっており、基板７を差し込んだ状態で半田付けがなされると、基板７の表裏面のグランドに対して電気的に接続されるようになっている。基板７と同軸コネクタ１との固定は、グランド接触部位８を介して行われるようになっている。グランド接触部位８は、基板固定部としての機能を有している。
【０００４】
図中の引用符号９は同軸コネクタ１のコネクタ本体５から突出するコンタクトを示している。コンタクト９は、この途中から折れ曲がって先端が基板７の回路導体（図示省略）に対して接触するようになっている。コンタクト９は、半田付けによって基板７の回路導体に対し電気的に接続されるようになっている。
【特許文献１】特開２００１−３１３１３１号公報  （第３頁、第２図）
【発明の開示】
【発明が解決しようとする課題】
【０００５】
ところで、上記従来技術にあっては、基板７の板厚に合わせて同軸コネクタ１のグランド接触部位８が形成されていることから、同軸コネクタ１は次のような問題点を有している。すなわち、同軸コネクタ１は、決まった板厚の基板７にしか接続・固定をすることができず、仮に基板７側の特性インピーダンスの都合で板厚を変更しようとする場合には、新たな同軸コネクタを新設しなければならないという問題点を有している。従来の同軸コネクタ１は、汎用性がないという問題点を有している。
【０００６】
その他、仮に基板７の板厚が所定寸法よりも小さく出来上がってしまった場合には、一対の突出片８ａ、８ａの間で基板７がガタ付いてしまうことから、半田付けの作業に影響を来すという問題点を有している。また、一度固定をすると取り外しができないことから、同軸コネクタ１の使いまわしができないという問題点を有している。
【０００７】
本発明は、上述した事情に鑑みてなされたもので、基板の板厚違いやガタ付きや使いまわしに対応することが可能な同軸コネクタを提供することを課題とする。
【課題を解決するための手段】
【０００８】
上記課題を解決するためになされた請求項１記載の本発明の同軸コネクタは、基板を差し込み固定するための基板差込空間を有する基板固定部をコネクタ本体に設けてなる同軸コネクタにおいて、基板挟み込み方向に力が作用するバネ部を前記基板固定部の一構成として有することを特徴としている。
【０００９】
このような特徴を有する本発明によれば、バネ部により基板が把持され、同軸コネクタと基板との電気的な接触が保たれる。また、バネ部により基板に対する固着力が確保され、結果、半田付けが不要となって同軸コネクタの使いまわしが可能となる。尚、半田付けをすれば基板に対しての導通と強度の両方を確保することが可能となる。さらに、バネ部により板厚が若干薄い基板を用いてもガタ付きが起こり難くなる。バネ部は、コネクタ本体に対して一体、別体を問わないが、別体の場合には、バネ部の種類を変えることにより、様々な板厚の基板に対応することが可能になる。
【発明の効果】
【００１０】
請求項１に記載された本発明によれば、基板の板厚違いやガタ付きや使いまわしに対応することができるという効果を奏する。
【発明を実施するための最良の形態】
【００１１】
以下、図面を参照しながら説明する。図１は本発明の同軸コネクタの一実施の形態を示す断面図である。また、図２（ａ）〜（ｃ）は同軸コネクタの三面図である。
【００１２】
図１及び図２において、引用符号１１は基板１２の端部に固定して使用される同軸コネクタを示している。同軸コネクタ１１は、コネクタ本体１３と、このコネクタ本体１３のコンタクト突出面１４から突出するコンタクト１５とを有している。コネクタ本体１３は、金属筐体１６と、絶縁体１７と、芯線１８とを有している。コネクタ本体１３は、本発明の特徴的な構成となる基板固定部１９を有している。
【００１３】
金属筐体１６には、図示しない同軸ケーブルに対するケーブル接続部２０が形成されている。また、金属筐体１６には、基板１２に対する上記の基板固定部１９が設けられている。ケーブル接続部２０は略筒状であって、この外側に雄ねじ２１が所定の範囲で形成されている。金属筐体１６の材質としては、ステンレス、銅合金、アルミニウム等が一例として挙げられる。また、金属筐体１６の表面処理としては、Ａｕ、Ａｇ、Ｎｉ、Ｐａ等が一例として挙げられる。
【００１４】
基板固定部１９は、コネクタ本体１３におけるコンタクト突出面１４から突出するバネ部２２と、このバネ部２２に対向する一対の受け部２３と、バネ部２２及び一対の受け部２３の間に形成される基板差込空間２４とを有して構成されている。基板固定部１９は、コンタクト１５の位置に合わせて設けられている。
【００１５】
バネ部２２は、基板押圧部２５を有する例えば図示のような形状の板バネであって、本形態においては、金属筐体１６に対して着脱自在となるように形成されている（一体で形成してもよいものとする。形状は一例であるものとする）。バネ部２２は、この端部の取付部２６が金属筐体１６のバネ部取付溝２７に差し込まれて固定されるようになっている。基板押圧部２５は、基板１２の裏面に接触する略山状の部分であって、バネ部２２により生じる基板挟み込み方向の力を基板１２に作用させることができるようになっている。
【００１６】
一対の受け部２３は、断面矩形状の突起であって、コネクタ本体１３におけるコンタクト突出面１４の両側縁部から突出するように形成されている。一対の受け部２３は、金属筐体１６に対して一体に形成されている。一対の受け部２３は、バネ部２２により押圧された基板１２の表面を受けるように形成されている。基板１２は、基板差込空間２４においてバネ部２２及び一対の受け部２３により把持されるようになっている。尚、様々な板厚の基板に対応させるために、バネ部２２を数種類揃えたりバネ部取付溝２７を複数段形成したりしてもよいものとする。図中の基板固定部１９の形状は一例であるものとする。
【００１７】
引用符号２５はコンタクト突出面１４に開口する金属筐体１６の開口部を示している。開口部２５は、ケーブル接続部２０に連通しており、これらに跨って絶縁体１７が設けられている。絶縁体１７は、絶縁性を有する略円柱形状に形成されている。コンタクト突出面１４の中央には、開口部２５を介して絶縁体１７の端面が露出している。
【００１８】
芯線１８は、導電性を有しており、絶縁体１７の内部において真っ直ぐに配置されている。芯線１８の一端には、図示しない同軸ケーブルの中心導体に対して電気的に接触する中心導体接続部２６が形成されている。一方、芯線１８の他端には、コンタクト１５が連成されている。芯線１８の他端とコンタクト１５は、真っ直ぐに連続するように形成されている。コンタクト１５は、コンタクト突出面１４の中央に露出する絶縁体１７から突出するように配置形成されている。コンタクト１５は、細長い丸ピン形状に形成されている（一例であるものとする）。
【００１９】
基板１２の表面には、回路導体２８が形成されている。また、基板１２の表裏面には、グランド２９も形成されている。
【００２０】
上記構成において、基板１２の端部を同軸コネクタ１１の基板固定部１９に差し込むと、基板１２はバネ部２２及び一対の受け部２３により把持される。コンタクト１５は、回路導体２８に重なり電気的に接触し合う。また、バネ部２２や一対の受け部２３もグランド２９に重なって電気的に接触し合う（ここで接触部分を半田付けしてもよいものとする）。同軸コネクタ１１は、基板１２に対して接続固定され、一連の組み立て作業が完了する。尚、基板１２を引き抜けば、同軸コネクタ１１の使いまわしが可能となる。
【００２１】
以上、図１及び図２を参照しながら説明してきたように、本発明によれば、バネ部２２により基板１２が把持され、同軸コネクタ１１と基板１２との電気的な接触が保たれる。また、バネ部２２により基板１２に対する固着力が確保され、結果、半田付けが不要となって同軸コネクタ１１の使いまわしが可能となる。さらに、バネ部２２により板厚が若干薄い基板１２を用いてもガタ付きが起こり難くなる。
【００２２】
その他、本発明は本発明の主旨を変えない範囲で種々変更実施可能なことは勿論である。
【図面の簡単な説明】
【００２３】
【図１】本発明の同軸コネクタの一実施の形態を示す断面図である。
【図２】（ａ）〜（ｃ）は同軸コネクタの三面図である。
【図３】従来例の同軸コネクタと基板の固定状態を示す側面図である。
【符号の説明】
【００２４】
１１  同軸コネクタ
１２  基板
１３  コネクタ本体
１４  コンタクト突出面
１５  コンタクト
１６  金属筐体
１７  絶縁体
１８  芯線
１９  基板固定部
２０  ケーブル接続部
２１  雄ねじ
２２  バネ部
２３  受け部
２４  基板差込空間
２５  基板押圧部
２６  取付部
２７  バネ部取付溝
２８  回路導体
２９  グランド
【図１】
2007141606.tif 000003
【図２】
2007141606.tif 000004
【図３】
2007141606.tif 000005